(57)【要約】【課題】従来の車両用前照灯では、投影レンズから照射される迷光によりグレアが発生する場合がある。【解決手段】この発明は、半導体型光源２と、レンズ３と、光制御部材４と、を備える。光制御部材４の一部は、発光面２３を含む面、および、レンズ３の入射面３００、および、レンズ３の縁を通りレンズ３の基準光軸Ｚと平行もしくはほぼ平行な筒面４６により囲まれた空間中に配置されている。光制御部材４の一部のうち、基準光軸Ｚに向き合う面には、光拡散部４５が設けられている。この結果、この発明は、光拡散部４５により、レンズ３から照射される迷光によりグレアが発生するのを防ぐことができる。【選択図】        図１
2015018761.tif 000002
【特許請求の範囲】
【請求項１】
半導体型光源と、
前記半導体型光源の発光面からの光を所定の配光パターンとして車両の前方に照射するレンズと、
光制御部材と、
を備え、
前記光制御部材の一部は、前記発光面を含む面、および、前記レンズの入射面、および、前記レンズの縁を通り前記レンズの基準光軸と平行もしくはほぼ平行な筒面により囲まれた空間中に配置されていて、
前記光制御部材の前記一部のうち、前記基準光軸に向き合う面には、光拡散部が設けられている、
ことを特徴とする車両用前照灯。
【請求項２】
前記光制御部材は、駆動部材により、前記一部が前記空間中に配置されている第１位置と、第２位置とに移動切替可能に位置する、
ことを特徴とする請求項１に記載の車両用前照灯。
【請求項３】
前記光制御部材が前記第１位置に位置するときには、前記光拡散部が前記基準光軸よりも下側に位置し、
前記発光面からの光であって前記光拡散部で反射された光は、前記レンズから前記基準光軸より上向きに照射される、
ことを特徴とする請求項１または２に記載の車両用前照灯。
【請求項４】
前記光制御部材は、可変焦点レンズ部を備える、
ことを特徴とする請求項１〜３のいずれか１項に記載の車両用前照灯。
【請求項５】
前記光拡散部は、プリズム素子の群からなり、
前記プリズム素子の軸は、前記発光面からの光の放射方向もしくはほぼ放射方向に位置する、
ことを特徴とする請求項１〜４のいずれか１項に記載の車両用前照灯。
【発明の詳細な説明】
【技術分野】
【０００１】
この発明は、半導体型光源からの光をレンズから所定の配光パターンとして車両の前方に照射するレンズ直射型の車両用前照灯に関するものである。
【背景技術】
【０００２】
この種の車両用前照灯は、従来からある（たとえば、特許文献１、特許文献２）。以下、従来の車両用前照灯について説明する。
【０００３】
特許文献１の従来の車両用前照灯は、発光素子光源と、投影レンズと、シェードとを、備えるダイレクトプロジェクション方式のものである。発光素子光源からの光の一部をシェードで遮蔽して、残りの光を投影レンズからカットオフラインを有するすれ違い配光パターンとして車両の前方に照射するものである。
【０００４】
特許文献２の従来の車両用前照灯は、発光ユニットと、投影レンズと、シェードを含む光学部材と、を備える直射型のものである。発光ユニットからの光の一部をシェードと遮蔽して、残りの光を投影レンズからロービームとして車両の前方に照射される。
【先行技術文献】
【特許文献】
【０００５】
【特許文献１】特開２０１１−１８７３０５号公報
【特許文献２】特開２０１２−１８８３９号公報
【発明の概要】
【発明が解決しようとする課題】
【０００６】
ところが、特許文献１の従来の車両用前照灯は、シェードの一部が発光素子光源と投影レンズとの間に位置するときに、発光素子光源からの光がシェードの一部の光軸に向き合う面で反射して投影レンズに入射すると、配光制御されていない光が投影レンズから迷光として照射される。また、同じく、特許文献２の従来の車両用前照灯は、シェードの一部が発光ユニットと投影レンズとの間に位置するときに、発光ユニットからの光がシェードの一部の光軸に向き合う面で反射して投影レンズに入射すると、配光制御されていない光が投影レンズから迷光として照射される。そして、迷光が集中すると、グレアとなる場合がある。
【０００７】
この発明が解決しようとする課題は、従来の車両用前照灯では、投影レンズから照射される迷光によりグレアが発生する場合がある、という点にある。
【課題を解決するための手段】
【０００８】
この発明（請求項１にかかる発明）は、半導体型光源と、半導体型光源の発光面からの光を所定の配光パターンとして車両の前方に照射するレンズと、光制御部材と、を備え、光制御部材の一部が、発光面を含む面、および、レンズの入射面、および、レンズの縁を通りレンズの基準光軸と平行もしくはほぼ平行な筒面により囲まれた空間中に配置されていて、光制御部材の一部のうち、基準光軸に向き合う面には、光拡散部が設けられている、ことを特徴とする。
【０００９】
この発明（請求項２にかかる発明）は、光制御部材が、駆動部材により、一部が空間中に配置されている第１位置と、第２位置とに移動切替可能に位置する、ことを特徴とする。
【００１０】
この発明（請求項３にかかる発明）は、光制御部材が第１位置に位置するときには、光拡散部が基準光軸よりも下側に位置し、発光面からの光であって光拡散部で反射された光が、レンズから基準光軸より上向きに照射される、ことを特徴とする。
【００１１】
この発明（請求項４にかかる発明）は、光制御部材が、可変焦点レンズ部を備える、ことを特徴とする。
【００１２】
この発明（請求項５にかかる発明）は、光拡散部が、プリズム素子の群からなり、プリズム素子の軸が、発光面からの光の放射方向もしくはほぼ放射方向に位置する、ことを特徴とする。
【発明の効果】
【００１３】
この発明の車両用前照灯は、発光面からの光が光制御部材の一部のうち基準光軸に向き合う面の光拡散部で散らばって（拡散して）反射する。このために、配光制御されていない光がレンズから迷光として照射されたとしても、その迷光は散らばっているので、グレアとなるようなことがない。このように、レンズから照射される迷光によりグレアが発生する場合がない。
【図面の簡単な説明】
【００１４】
【図１】図１は、この発明にかかる車両用前照灯の実施形態１を示すランプユニットの主要構成部品の分解斜視図である。
【図２】図２は、ランプユニットを示す斜視図である。
【図３】図３は、ランプユニットを示す正面図である。
【図４】図４は、光制御部材が第１位置に位置しているときの光路を示す説明図（図３におけるＩＶ−ＩＶ線断面図に対応する説明図）である。
【図５】図５は、光制御部材が第２位置に位置しているときの光路を示す説明図（図３におけるＩＶ−ＩＶ線断面図に対応する説明図）である。
【図６】図６は、発光面からの光が光拡散部において散らばって反射する状態を示す光路の説明図である。
【図７】図７は、光が光拡散部において散らばって反射する状態と散らばらずに反射する状態とを示す光路の説明図である。
【図８】図８は、ロービーム用配光パターンとハイビーム用配光パターンとを示す等光度曲線の説明図である。
【図９】図９は、散らばっている状態の迷光と散らばっていない状態の迷光とを示す説明図である。
【図１０】図１０は、この発明にかかる車両用前照灯の実施形態２を示す光路の説明図（図６に対応する説明図）である。
【発明を実施するための形態】
【００１５】
以下、この発明にかかる車両用前照灯の実施形態（実施例）の２例を図面に基づいて詳細に説明する。なお、この実施形態によりこの発明が限定されるものではない。図８、図９において、符号「ＶＵ−ＶＤ」は、スクリーンの上下の垂直線を示す。符号「ＨＬ−ＨＲ」は、スクリーンの左右の水平線を示す。また、図８は、コンピュータシミュレーションにより作図されたスクリーン上の配光パターンを簡略化して示す等光度曲線の説明図である。この等光度曲線の説明図において、中央の等光度曲線は、高光度を示し、外側の等光度曲線は、低光度を示す。さらに、図４、図５、図６、図１０において、レンズおよび光制御部材の断面のハッチングは、省略してある。この明細書および別紙の特許請求の範囲において、前、後、上、下、左、右は、この発明にかかる車両用前照灯を車両に搭載した際の前、後、上、下、左、右である。
【００１６】
（実施形態１の構成の説明）
図１〜図９は、この発明にかかる車両用前照灯の実施形態１を示す。以下、この実施形態１にかかる車両用前照灯の構成について説明する。図１中、符号１は、この実施形態１にかかる車両用前照灯（たとえば、ヘッドランプなど）である。前記車両用前照灯１は、車両の前部の左右両端部に搭載されている。
【００１７】
（ランプユニットの説明）
前記車両用前照灯１は、図１〜図３に示すように、ランプハウジング（図示せず）と、ランプレンズ（図示せず）と、半導体型光源２と、レンズ（固定レンズ）３と、光制御部材（可動レンズ）４と、駆動部材５と、レンズカバー部材６と、軸受部材７と、ベース部材８と、冷却部材９と、を備えるものである。
【００１８】
前記半導体型光源２および前記レンズ３および前記光制御部材４および前記駆動部材５および前記レンズカバー部材６および前記軸受部材７および前記ベース部材８および前記冷却部材９は、ランプユニットを構成する。前記ランプハウジングおよび前記ランプレンズは、灯室（図示せず）を画成する。前記ランプユニット２、３、４、５、６、７、８、９は、前記灯室内に配置されていて、かつ、上下方向用光軸調整機構（図示せず）および左右方向用光軸調整機構（図示せず）を介して前記ランプハウジングに取り付けられている。
【００１９】
（半導体型光源２の説明）
前記半導体型光源２は、図１、図４〜図７に示すように、この例では、たとえば、ＬＥＤ、ＯＥＬまたはＯＬＥＤ（有機ＥＬ）などの自発光半導体型光源である。前記半導体型光源２は、発光チップ（ＬＥＤチップ）２０と、前記発光チップ２０を封止樹脂部材で封止したパッケージ（ＬＥＤパッケージ）と、前記パッケージを実装した基板２１と、前記基板２１に取り付けられていて前記発光チップ２０に電源（バッテリー）からの電流を供給するコネクタ２２と、から構成されている。なお、図４〜図７においては、前記コネクタ２２の図示を省略してある。
【００２０】
前記基板２１は、位置決め孔および位置決めピンなどにより前記ベース部材８の光源取付部８０に位置決めされ、かつ、スクリューなどにより、前記ベース部材８の前記光源取付部８０に取り付けられている。この結果、前記半導体型光源２は、前記ベース部材８に取り付けられている。
【００２１】
前記発光チップ２０は、この例では、平面矩形形状（平面長方形状）をなす。すなわち、４個の正方形のチップをＸ軸方向（水平方向）に配列してなるものである。なお、２個もしくは３個もしくは５個以上の正方形のチップ、あるいは、１個の長方形のチップ、あるいは、１個の正方形のチップ、を使用しても良い。前記発光チップ２０の正面この例では長方形の正面が発光面２３をなす。前記発光面２３は、前記レンズ３の基準光軸（基準軸）Ｚの前側に向いている。前記発光チップ２０の前記発光面２３の中心Ｏは、前記レンズ３の基準焦点Ｆもしくはその近傍に位置し、かつ、前記レンズ３の基準光軸Ｚ上もしくはその近傍に位置する。
【００２２】
図において、Ｘ、Ｙ、Ｚは、直交座標（Ｘ−Ｙ−Ｚ直交座標系）を構成する。Ｘ軸は、前記発光チップ２０の前記発光面２３の中心Ｏを通る左右方向の水平軸であって、この実施形態１において、右側が＋方向であり、左側が−方向である。また、Ｙ軸は、前記発光チップ２０の前記発光面２３の中心Ｏを通る上下方向の鉛直軸であって、この実施形態１において、上側が＋方向であり、下側が−方向である。さらに、Ｚ軸は、前記発光チップ２０の前記発光面２３の中心Ｏを通る法線（垂線）、すなわち、前記Ｘ軸および前記Ｙ軸と直交する前後方向の軸であって、この実施形態１において、前側が＋方向であり、後側が−方向である。
【００２３】
（レンズ３の説明）
前記レンズ３は、光透過性部材から構成されている。前記レンズ３は、図１〜図６に示すように、主レンズ部３０と、補助レンズ部（付加レンズ部）３１と、取付部３２と、から構成されている。前記取付部３２は、前記主レンズ部３０の左右両端部に一体に設けられている。前記取付部３２は、前記レンズカバー部材６を介して位置決め孔および位置決めピンなどにより前記ベース部材８のレンズ取付部８１に位置決めされ、かつ、スクリューなどにより、前記ベース部材８の前記レンズ取付部８１に取り付けられている。この結果、前記レンズ３は、前記レンズカバー部材６を介して前記ベース部材８に取り付けられている。前記取付部３２は、この例では、前記レンズ３と一体構造であるが、前記レンズ３と別体構造であっても良い。
【００２４】
前記レンズ３は、前記半導体型光源２からの光を、図８（Ａ）に示す第１配光パターンとしてのロービーム用配光パターン（すれ違い用配光パターン）ＬＰ、および、図８（Ｂ）に示す第２配光パターンとしてのハイビーム用配光パターン（走行用配光パターン）ＨＰとして車両の前方に照射するものである。前記ロービーム用配光パターンＬＰは、下水平カットオフラインＣＬ１と、斜めカットオフラインＣＬ２と、上水平カットオフラインＣＬ３とを、有する。前記ハイビーム用配光パターンＨＰは、中央部にホットゾーン（高光度帯）ＨＺを有する。
【００２５】
（主レンズ部３０の説明）
前記主レンズ部３０は、図４、図５に示すように、前記基準光軸Ｚおよび前記基準焦点Ｆを有する。前記主レンズ部３０は、前記半導体型光源２から放射される光のうち、中央光Ｌ１および周辺光の一部を利用するものである。前記中央光Ｌ１は、前記半導体型光源２の半球放射範囲のＸ軸もしくはＹ軸から所定の角度（この例では、約６０°）以上の範囲の光であって、前記主レンズ部３０の中央部に入射する光である。また、前記周辺光は、前記半導体型光源２の半球放射範囲のＸ軸もしくはＹ軸から所定の角度（この例では、約６０°）以下の範囲の光である。前記周辺光の一部は、前記周辺光のうち前記主レンズ部３０の周辺部に入射する光である。前記主レンズ部３０は、この例では、前記半導体型光源２からの光を透過させる透過タイプのレンズ部である。
【００２６】
前記主レンズ部３０は、前記半導体型光源２からの光（前記中央光Ｌ１および前記周辺光の一部）を主配光パターン（基本配光パターン）、この実施形態１においては、ロービーム用配光パターンの主配光パターン、および、ハイビーム用配光パターンの主配光パターン、として車両の前方に照射する。すなわち、前記主レンズ部３０は、前記半導体型光源２からの直接入射した光（前記中央光Ｌ１および前記周辺光の一部）を前記ロービーム用配光パターンの主配光パターンとして車両の前方に照射し、かつ、前記半導体型光源２から前記光制御部材４を透過した光（前記中央光Ｌ１、および、Ｘ軸方向の前記周辺光の一部）および前記半導体型光源２からの直接入射した光（Ｘ軸方向の前記周辺光の一部を除いた残りの前記周辺光の一部）を前記ハイビーム用配光パターンの主配光パターンとして車両の前方に照射する。
【００２７】
前記主レンズ部３０は、前記半導体型光源２からの光が前記主レンズ部３０中に入射する入射面３００と、前記主レンズ部３０中に入射した光が出射する出射面３０１と、から構成されている。前記主レンズ部３０の前記入射面３００は、自由曲面あるいは複合２次曲面から構成されている。前記主レンズ部３０の前記出射面３０１は、前記半導体型光源２と反対側に突出した凸形状をなし、自由曲面あるいは複合２次曲面から構成されている。
【００２８】
（補助レンズ部３１の説明）
前記補助レンズ部３１は、図４、図５に示すように、前記主レンズ部３０の周辺この実施形態１においては下辺（下側）に設けられている。この結果、前記半導体型光源２と、前記レンズ３の上部との間には、開口部が形成されている。
【００２９】
前記補助レンズ部３１は、前記半導体型光源２から放射される光のうち、周辺光の他の一部Ｌ２を有効利用するものである。前記周辺光の他の一部Ｌ２は、前記周辺光のうち前記補助レンズ部３１に入射する光である。前記補助レンズ部３１は、この例では、前記周辺光の他の一部Ｌ２を全反射させる全反射タイプのレンズ部である。前記補助レンズ部３１は、前記主レンズ部３０と一体のものである。
【００３０】
前記補助レンズ部３１は、前記周辺光の他の一部Ｌ２を補助配光パターン、この実施形態１においては、ロービーム用配光パターンの補助配光パターン、および、ハイビーム用配光パターンの補助配光パターン、として車両の前方に照射する。すなわち、前記補助レンズ部３１は、前記半導体型光源２から前記光制御部材４を透過した光（前記周辺光の他の一部Ｌ２）を前記ロービーム用配光パターンの補助配光パターンとして車両の前方に照射し、かつ、前記半導体型光源２からの直接入射した光（前記周辺光の他の一部Ｌ２）を前記ハイビーム用配光パターンの補助配光パターンとして車両の前方に照射する。
【００３１】
前記補助レンズ部３１は、前記周辺光の他の一部Ｌ２が前記補助レンズ部３１中に入射する入射面３１０と、前記入射面３１０から前記補助レンズ部３１中に入射した光が反射する反射面３１１と、前記反射面３１１で反射した反射光が前記補助レンズ部３１中から外部に出射する出射面３１２と、から構成されている。前記入射面３１０および前記反射面３１１および前記出射面３１２は、それぞれ自由曲面（あるいは複合二次曲面）から構成されている。
【００３２】
（光制御部材４の説明）
前記光制御部材４は、中央側の部分の可変焦点レンズ部４０と、左右両側の部分の取付部４１と、を備える。前記可変焦点レンズ部４０と前記取付部４１とは、光透過部材から構成されていて、一体構造をなす。前記取付部４１は、前記軸受部材７を介して前記ベース部材８に位置決めされて取り付けられている。この結果、前記光制御部材４は、前記軸受部材７を介して前記ベース部材８に、第１位置と第２位置との間を回転可能に取り付けられている。前記光制御部材４の回転中心Ｏ１は、前記発光面２３の中心Ｏよりも、後側でかつ下側に位置する。
【００３３】
前記光制御部材４は、前記駆動部材５により前記第１位置と前記第２位置とに移動（回転）切替可能に構成されている。前記第１位置は、図４に示すように、前記可変焦点レンズ部４０が前記半導体型光源２の前記発光面２３と、前記補助レンズ部３１の前記入射面３１０との間に位置する位置である。前記第２位置は、図５に示すように、前記可変焦点レンズ部４０が前記半導体型光源２の前記発光面２３と、前記主レンズ部３０の前記入射面３００の前記中央光Ｌ１が入射する中央部との間に位置する位置である。
【００３４】
前記第１位置に位置する前記光制御部材４の前記可変焦点レンズ部４０と前記レンズ３の前記補助レンズ部３１とは、図４に示すように、一部（大部分）が上下において重なる。この結果、前記半導体型光源２と、前記レンズ３の下部および前記光制御部材４との間には、若干の開口部が形成されている。
【００３５】
（可変焦点レンズ部４０の説明）
前記可変焦点レンズ部４０は、前記第１位置に位置するときには、図４に示すように、前記周辺光の他の一部Ｌ２を透過させて前記補助レンズ部３１中に入射させる。この結果、前記ロービーム用配光パターンの補助配光パターンが前記補助レンズ部３１の前記出射面３１２から車両の前方に照射される。
【００３６】
前記可変焦点レンズ部４０は、前記第２位置に位置するときには、図５に示すように、前記中央光Ｌ１を透過させて前記主レンズ部３０の中央部中に入射させる。この結果、前記ハイビーム用配光パターンの主配光パターンが前記主レンズ部３０の前記出射面３０１の中央部から車両の前方に照射される。
【００３７】
図１、図４、図５に示すように、前記可変焦点レンズ部４０の入射面４００は、前記可変焦点レンズ部４０の光軸（光出射軸）方向に、すなわち、前記半導体型光源２の前記発光面２３に対して前記可変焦点レンズ部４０の内側に凹形状をなす。前記可変焦点レンズ部４０の出射面４０１は、前記可変焦点レンズ部４０の光軸（光出射軸）方向に、すなわち、前記半導体型光源２の前記発光面２３に対して前記可変焦点レンズ部４０の外側に凸形状をなす。
【００３８】
前記可変焦点レンズ部４０は、前記補助レンズ部３１の焦点を変化させるものである。すなわち、前記第１位置に位置するときの前記補助レンズ部３１の焦点（疑似焦点）Ｆ１を、前記第２位置に位置するときの前記補助レンズ部３１の焦点Ｆに対して、上側かつ右側に変位させるものである。前記疑似焦点Ｆ１は、前記可変焦点レンズ部４０を通した前記補助レンズ部３１の疑似焦点である。
【００３９】
前記可変焦点レンズ部４０は、水平断面において、対向車線側この例では右側から走行車線側この例では左側にかけて徐々に前記入射面４００と前記出射面４０１との間の距離が近くなる。すなわち、前記可変焦点レンズ部４０の右側端部の前記入射面４００と前記出射面４０１との間の距離は長く、前記可変焦点レンズ部４０の左側端部の前記入射面４００と前記出射面４０１との間の距離は短い。
【００４０】
前記可変焦点レンズ部４０は、鉛直断面において、上側から下側にかけて徐々に前記入射面４００と前記出射面４０１との間の距離が近くなる。すなわち、前記可変焦点レンズ部４０の上側端部の前記入射面４００と前記出射面４０１との間の距離は長く、前記可変焦点レンズ部４０の下側端部の前記入射面４００と前記出射面４０１との間の距離は短い。なお、鉛直断面において、上側の前記入射面４００と前記出射面４０１との間の距離と、下側の前記入射面４００と前記出射面４０１との間の距離とは、変わらない場合がある。
【００４１】
前記可変焦点レンズ部４０は、前記の構造により、前記第１位置に位置するときの前記補助レンズ部３１の焦点（疑似焦点）Ｆ１を、前記第２位置に位置するときの前記補助レンズ部３１の焦点Ｆに対して、上側かつ右側に変位させる。すなわち、前記可変焦点レンズ部４０は、前記半導体型光源２の前記発光チップ２０（前記発光面２３）の位置を、実際の位置から、右斜め下方の仮想の位置に変化させる。
【００４２】
これにより、前記ロービーム用配光パターンの補助配光パターンは、前記ハイビーム用配光パターンの補助配光パターンに対して、右斜め下方に変化する。この結果、前記ロービーム用配光パターンの補助配光パターンは、前記ロービーム用配光パターンＬＰの前記下水平カットオフラインＣＬ１よりも下側に位置する。
【００４３】
また、前記可変焦点レンズ部４０は、前記主レンズ部３０の焦点を変化させて、前記主レンズ部３０から照射される主配光パターンを切り替えるものである。すなわち、前記可変焦点レンズ部４０は、前記第１位置に位置するときには、図４に示すように、前記中央光Ｌ１および前記周辺光の一部を直接前記主レンズ部３０中に入射させる。この結果、前記ロービーム用配光パターンの主配光パターンが前記主レンズ部３０の前記出射面３０１から車両の前方に照射される。
【００４４】
前記可変焦点レンズ部４０は、前記第２位置に位置するときには、図５に示すように、前記中央光Ｌ１を透過させて前記主レンズ部３０の中央部中に入射させる。この結果、前記ハイビーム用配光パターンの主配光パターンが前記主レンズ部３０の前記出射面３０１の中央部から車両の前方に照射される。
【００４５】
このとき、前記可変焦点レンズ部４０は、前記ロービーム用配光パターンの主配光パターンの中央部分の光の一部を、前記ロービーム用配光パターンの主配光パターンの中央部分のカットオフラインＣＬ１、ＣＬ２、ＣＬ３から上方に山形形状にせり上げる。この結果、前記ロービーム用配光パターンの主配光パターンの中央部分は、前記ハイビーム用配光パターンの主配光パターンの中央部分に、変形する。この主配光パターンの中央部分の変形により、配光パターンの切替の節度感が得られる。 
【００４６】
（光拡散部４５の説明）
図４、図６に示すように、前記光制御部材４が前記第１位置に位置するときには、前記可変焦点レンズ部４０の一部（上端部）が前記半導体型光源２と前記レンズ３との間の空間中に配置されている。前記空間は、前記発光面２３を含む面（Ｙ軸を含む前記基準光軸Ｚに対して垂直もしくはほぼ垂直な面）、および、前記レンズ３の前記主レンズ部３０の入射面３００、および、前記レンズ３の前記主レンズ部３０の縁を通り前記基準光軸Ｚと平行もしくはほぼ平行な筒面４６（図１０中の二点鎖線を参照）により囲まれた空間である。
【００４７】
図４〜図７に示すように、前記光制御部材４が前記第１位置に位置するときにおいて、前記可変焦点レンズ部４０の前記一部（上端部）のうち、前記基準光軸Ｚに向き合う面（前記入射面４００と前記出射面４０１との間の上面）には、光拡散部４５が設けられている。図６に示すように、前記光制御部材４が前記第１位置に位置するときには、前記光拡散部４５が前記基準光軸Ｚよりも下側に位置する。
【００４８】
前記光拡散部４５が設けられている面（前記可変焦点レンズ部４０の上面）の傾斜は、前記光制御部材４が前記第２位置に位置するとき（図５参照）において、前記中央光Ｌ１が可変焦点レンズ部４０を透過して前記主レンズ部３０に効率良く入射し、前記ハイビーム用配光パターンの主配光パターンが効率良く形成できるように、設計されている。また、前記光拡散部４５が設けられている面（前記可変焦点レンズ部４０の上面）は、図６に示すように、前記光制御部材４が前記第２位置に位置するときにおいて、前記発光面２３からの光Ｌ３が前記主レンズ部３０側に反射するように、設計されている。
【００４９】
この結果、前記発光面２３からの光Ｌ３は、図７（Ａ）に示すように、前記光拡散部４５で散らばって反射する。この散らばった反射光Ｌ４は、前記レンズ３０の前記出射面３０１から散らばった出射光Ｌ５として前記基準光軸Ｚより上向きに照射される。なお、図６中における二点鎖線は、前記基準光軸Ｚと平行な線（軸）である。
【００５０】
前記光拡散部４５は、図７（Ａ）に示すように、プリズム素子の群からなる。前記プリズム素子の軸Ｚ１は、前記発光面２３からの光Ｌ３の放射方向もしくはほぼ放射方向に位置する。前記プリズム素子は、この例では、マイクロオーダーの凸状の円錐形状の面を有する。なお、凸状の円筒形状の面、あるいは、凹状の円錐形状の面、あるいは、凹状の円筒形状の面であっても良い。
【００５１】
（駆動部材５の説明）
前記駆動部材５は、図１、図２に示すように、前記光制御部材４を前記第１位置と前記第２位置とに移動（回転、回動）切替可能に位置させるものである。前記駆動部材５は、ソレノイド５０と、連結ピン５１と、スプリング５２と、から構成されている。
【００５２】
前記ソレノイド５０には、取付部５３が一体に設けられている。前記取付部５３は、位置決め孔および位置決めピンなどにより前記ベース部材８のベース取付部８２の背面側に位置決めされ、かつ、スクリューなどにより、前記ベース部材８の前記ベース取付部８２の背面側に取り付けられている。この結果、前記駆動部材５の前記ソレノイド５０は、前記ベース部材８に取り付けられている。前記ソレノイド５０は、進退ロッド５４を有する。
【００５３】
前記連結ピン５１の一端は、前記進退ロッド５４の先端に固定されている。前記連結ピン５１の他端は、前記光制御部材４の前記取付部４１に設けられている長孔４２中に挿入されている。この結果、前記ソレノイド５０の前記進退ロッド５４の進退運動が前記連結ピン５１および前記長孔４２を介して前記光制御部材４の回転運動に変換される。
【００５４】
前記スプリング５２は、前記軸受部材７に取り付けられている。前記スプリング５２の一端は、前記軸受部材７に弾性当接している。前記スプリング５２の他端は、前記光制御部材４に弾性当接している。この結果、通常時すなわち前記ソレノイド５０が非通電時においては、前記スプリング５２の力により、前記光制御部材４は、前記第１位置に位置する。前記ソレノイド５０に通電すると、前記スプリング５２の力に抗して前進位置に位置する前記進退ロッド５４が後退して、前記光制御部材４は、前記第１位置から前記第２位置に回転して前記第２位置に位置する。前記ソレノイド５０への通電を遮断すると、前記スプリング５２の力により、後退位置に位置する前記進退ロッド５４が前進して、前記光制御部材４は、前記第２位置から前記第１位置に回転して前記第１位置に位置する。
【００５５】
（レンズカバー部材６の説明）
前記レンズカバー部材６は、図１〜図３に示すように、前記レンズ３を覆う形状をなす。前記レンズカバー部材６は、たとえば、光不透過性の部材から構成されている。前記レンズカバー部材６の中央部には、前記半導体型光源２からの光を前記レンズ３の前記主レンズ部３０および前記補助レンズ部３１に通す開口部６０が設けられている。前記レンズカバー部材６の左右両端部には、取付部６１が一体に設けられている。前記取付部６１は、前記レンズ３の前記取付部３２と共に、位置決め孔および位置決めピンなどにより前記ベース部材８の前記レンズ取付部８１に位置決めされ、かつ、スクリューなどにより、前記ベース部材８の前記レンズ取付部８１に取り付けられている。この結果、前記レンズカバー部材６は、前記レンズ３と共に前記ベース部材８に取り付けられている。
【００５６】
（軸受部材７の説明）
前記軸受部材７は、図１、図２に示すように、前記半導体型光源２および前記ベース部材８の前記光源取付部８０を覆う形状をなす。前記軸受部材７は、たとえば、光不透過性の部材から構成されている。前記軸受部材７の中央部には、前記半導体型光源２からの光を前記レンズ３の前記主レンズ部３０および前記補助レンズ部３１、前記光制御部材４の前記可変焦点レンズ部４０に通す開口部７０が設けられている。前記軸受部材７の４角部には、取付部７１が一体に設けられている。前記取付部７１は、位置決め孔および位置決めピンなどにより前記ベース部材８の前記ベース取付部８２の正面側に位置決めされ、かつ、スクリューなどにより、前記ベース部材８の前記ベース取付部８２の正面側に取り付けられている。この結果、前記軸受部材７は、前記ベース部材８に取り付けられている。
【００５７】
前記軸受部材７の左右両側の中央部には、軸部７２がそれぞれ一体に設けられている。前記軸部７２には、前記光制御部材４の前記取付部４１に設けられている回転孔４３が回転可能に軸受されている。この結果、前記軸受部材７には、前記光制御部材４が前記第１位置と前記第２位置との間を回転可能に取り付けられている。
【００５８】
前記軸受部材７と前記光制御部材４とには、それぞれストッパ７３、４４が一体に設けられている。これにより、前記光制御部材４を前記第１位置と前記第２位置とに位置させることができる。
【００５９】
（ベース部材８の説明）
前記ベース部材８は、図１〜図３に示すように、前記ベース取付部８２と、前記ベース取付部８２の正面側の中央部の前記光源取付部８０と、前記ベース取付部８２の正面側の左右両端部の前記レンズ取付部８１と、から構成されている。前記光源取付部８０には、前記半導体型光源２が取り付けられている。前記レンズ取付部８１には、前記レンズ３が前記レンズカバー部材６を介して取り付けられている。前記ベース取付部８２の正面側には、前記光制御部材４が前記第１位置と前記第２位置との間を回転可能に軸受されている前記軸受部材７が取り付けられている。前記ベース取付部８２の背面側には、前記駆動部材５および前記冷却部材９がそれぞれ取り付けられている。
【００６０】
（冷却部材９の説明）
前記冷却部材９は、図１、図２に示すように、冷却ファンを有する。前記冷却部材９は、前記ベース部材８の前記ベース取付部８２の背面側に位置決めされ、かつ、スクリューなどにより、前記ベース部材８の前記ベース取付部８２の背面側に取り付けられている。この結果、前記冷却部材９は、前記ベース部材８に取り付けられている。
【００６１】
（実施形態１の作用の説明）
この実施形態１にかかる車両用前照灯１は、以上のごとき構成からなり、以下、その作用について説明する。
【００６２】
通常時すなわちソレノイド５０が非通電時においては、スプリング５２のスプリング力により、進退ロッド５４が前進位置に位置していて光制御部材４が第１位置に位置する。このとき、光制御部材４の可変焦点レンズ部４０は、図４に示すように、半導体型光源２の発光面２３とレンズ３の補助レンズ部３１の入射面３１０との間に位置している。
【００６３】
この通常時において、半導体型光源２の発光チップ２０を点灯する。すると、発光チップ２０の発光面２３から放射される光のうち、半導体型光源２の中央光Ｌ１および周辺光の一部は、図４に示すように、直接、レンズ３の主レンズ部３０の入射面３００から主レンズ部３０中に入射する。このとき、入射光は、入射面３００において配光制御される。主レンズ部３０中に入射した入射光は、主レンズ部３０の出射面３０１から出射する。このとき、出射光は、出射面３０１において配光制御される。主レンズ部３０からの出射光は、下水平カットオフラインＣＬ１と、斜めカットオフラインＣＬ２と、上水平カットオフラインＣＬ３とを、有するロービーム用配光パターンの主配光パターンとして、車両の前方に照射される。
【００６４】
一方、発光チップ２０の発光面２３から放射される光のうち、半導体型光源２の周辺光の他の一部Ｌ２は、図４に示すように、光制御部材４の可変焦点レンズ部４０の入射面４００から可変焦点レンズ部４０中に入射する。このとき、入射光は、入射面４００において配光制御される。可変焦点レンズ部４０中に入射した入射光は、可変焦点レンズ部４０の出射面４０１から出射する。このとき、出射光は、出射面４０１において配光制御される。
【００６５】
可変焦点レンズ部４０からの出射光は、補助レンズ部３１の入射面３１０から補助レンズ部３１中に入射する。このとき、入射光は、入射面３１０において配光制御される。補助レンズ部３１中に入射した入射光は、補助レンズ部３１の反射面３１１で全反射する。このとき、反射光は、反射面３１１において配光制御される。全反射した反射光は、出射面３１２から出射する。このとき、出射光は、出射面３１２において配光制御される。補助レンズ部３１からの出射光は、ロービーム用配光パターンの補助配光パターンとして、車両の前方であって主レンズ部３０から照射されるロービーム用配光パターンの主配光パターンの中央部に対して、右斜め下方に照射される。
【００６６】
ここで、可変焦点レンズ部４０の焦点の変位の作用により、補助レンズ部３１の焦点Ｆは、右斜め上方の疑似焦点Ｆ１に変位する。このために、半導体型光源２の発光チップ２０（発光面２３）の位置は、実際の位置から、右斜め下方の仮想の位置に変化する。これにより、ロービーム用配光パターンの補助配光パターンは、スクリーンの中心（スクリーンの左右の水平線ＨＬ−ＨＲとスクリーンの上下の垂直線ＶＵ−ＶＤとの交点）に対して、右斜め下方に位置する。すなわち、ロービーム用配光パターンの補助配光パターンは、ロービーム用配光パターンの主配光パターンの下水平カットオフラインＣＬ１よりも下方に位置する。
【００６７】
そして、下水平カットオフラインＣＬ１と、斜めカットオフラインＣＬ２と、上水平カットオフラインＣＬ３とを、有するロービーム用配光パターンの主配光パターンと、ロービーム用配光パターンの補助配光パターンとが合成（重畳）されて、下水平カットオフラインＣＬ１と、斜めカットオフラインＣＬ２と、上水平カットオフラインＣＬ３とを、有するロービーム用配光パターンＬＰ（図８（Ａ）参照）が得られる。
【００６８】
それから、ソレノイド５０に通電する。すると、進退ロッド５４がスプリング５２のスプリング力に抗して後退して後退位置に位置していて、光制御部材４が第１位置から第２位置に向かって回転して第２位置に位置する。すなわち、今まで半導体型光源２と補助レンズ部３１との間に位置している光制御部材４は、図５に示すように、半導体型光源２の発光面２３とレンズ３の主レンズ部３０の入射面３００との間に位置する。
【００６９】
そして、発光チップ２０の発光面２３から放射される光のうち、半導体型光源２の中央光Ｌ１は、光制御部材４の可変焦点レンズ部４０の入射面４００から可変焦点レンズ部４０中に入射する。このとき、入射光は、入射面４００において配光制御される。可変焦点レンズ部４０中に入射した入射光は、可変焦点レンズ部４０の出射面４０１から出射する。このとき、出射光は、出射面４０１において配光制御される。
【００７０】
可変焦点レンズ部４０からの出射光は、主レンズ部３０の入射面３００から主レンズ部３０中に入射する。また、半導体型光源２の周辺光の一部は、直接、主レンズ部３０の入射面３００から主レンズ部３０中に入射する。このとき、入射光は、入射面３００において配光制御される。主レンズ部３０中に入射した入射光は、主レンズ部３０の出射面３０１から出射する。このとき、出射光は、出射面３０１において配光制御される。主レンズ部３０からの出射光は、ハイビーム用配光パターンの主配光パターンとして、車両の前方に照射される。
【００７１】
ここで、ハイビーム用配光パターンの主配光パターンは、可変焦点レンズ部４０を介して主レンズ部３０から照射されるものである。このために、ハイビーム用配光パターンの主配光パターンの中央部分は、ロービーム用配光パターンの主配光パターンの中央部分の光の一部を上方に山形形状にせり上げた状態に変形する。このとき、配光パターンの切替の節度感が得られる。 
【００７２】
一方、発光チップ２０の発光面２３から放射される光のうち、半導体型光源２の周辺光の他の一部Ｌ２は、図５に示すように、直接、補助レンズ部３１の入射面３１０から補助レンズ部３１中に入射する。このとき、入射光は、入射面３１０において配光制御される。補助レンズ部３１中に入射した入射光は、補助レンズ部３１の反射面３１１で全反射する。このとき、反射光は、反射面３１１において配光制御される。全反射した反射光は、出射面３１２から出射する。このとき、出射光は、出射面３１２において配光制御される。補助レンズ部３１からの出射光は、ハイビーム用配光パターンの補助配光パターンとして、車両の前方であって主レンズ部３０から照射されるハイビーム用配光パターンの主配光パターンの中央部に照射される。
【００７３】
ここで、ハイビーム用配光パターンの補助配光パターンは、可変焦点レンズ部４０を介さずに直接補助レンズ部３１から照射されるものである。このために、補助レンズ部３１の焦点Ｆは、本来の位置、すなわち、半導体型光源２の発光チップ２０の発光面２３の中心Ｏもしくはその近傍に位置する。これにより、ハイビーム用配光パターンの補助配光パターンは、スクリーンの中心（スクリーンの左右の水平線ＨＬ−ＨＲとスクリーンの上下の垂直線ＶＵ−ＶＤとの交点）もしくはその近傍に位置する。すなわち、ハイビーム用配光パターンの補助配光パターンは、ハイビーム用配光パターンの主配光パターンの中央部に位置する。
【００７４】
そして、ハイビーム用配光パターンの主配光パターンと、ハイビーム用配光パターンの補助配光パターンとが合成（重畳）されて、中央部にホットゾーンＨＺを有するハイビーム用配光パターンＨＰ（図８（Ｂ）参照）が得られる。
【００７５】
それから、ソレノイド５０への通電を遮断する。すると、進退ロッド５４がスプリング５２のスプリング力により前進して前進位置に位置していて、光制御部材４が第２位置から第１位置に向かって回転して第１位置に位置する。すなわち、今まで半導体型光源２と主レンズ部３０との間に位置していた光制御部材４は、半導体型光源２と補助レンズ部３１との間に位置する。
【００７６】
（実施形態１の効果の説明）
この実施形態１にかかる車両用前照灯１は、以上のごとき構成および作用からなり、以下、その効果について説明する。
【００７７】
この実施形態１にかかる車両用前照灯１は、発光面２３からの光Ｌ３が可変焦点レンズ部４０の一部のうち基準光軸Ｚに向き合う面の光拡散部４５で散らばって（拡散して）反射する。その散らばった反射光Ｌ４は、主レンズ部３０中に入射して、その主レンズ部３０から散らばった出射光Ｌ５として出射する。このために、配光制御されていない光（Ｌ４）が主レンズ部３０から迷光（Ｌ５）として照射されたとしても、その迷光（Ｌ５）は散らばっているので、グレアとなるようなことがない。このように、主レンズ部３０から照射される迷光（Ｌ５）によりグレアが発生する場合がない。
【００７８】
ここで、図７（Ｂ）に示すように、可変焦点レンズ部４０の一部のうち基準光軸Ｚに向き合う面が平面４５０の場合について説明する。この場合においては、発光面２３からの光Ｌ３が可変焦点レンズ部４０の一部のうち基準光軸Ｚに向き合う平面４５０でそのまま反射する。そのまま反射した反射光Ｌ６は、主レンズ部３０中に入射して、その主レンズ部３０から散らばらずに出射する。このために、図９（Ｂ）に示すように、ロービーム用配光パターンＬＰのカットオフラインＣＬ１、ＣＬ２、ＣＬ３よりも上方（約２０°〜約３０°）の中央にグレアとなる配光パターンＧＰが発生する場合がある。
【００７９】
これに対して、この実施形態１にかかる車両用前照灯１は、発光面２３からの光Ｌ３が光拡散部４５で散らばって反射する。このために、図９（Ａ）に示すように、ロービーム用配光パターンＬＰのカットオフラインＣＬ１、ＣＬ２、ＣＬ３よりも上方（約２０°〜約３０°）の中央のグレアとなる配光パターンＧＰが左右に広く拡散されて、グレアとならない配光パターンＷＧＰとなる。
【００８０】
この実施形態１にかかる車両用前照灯１は、光制御部材４が駆動部材５により、第１位置と第２位置とに移動切替可能に位置するので、レンズ直射型のランプユニットにおいて、ロービーム用配光パターンＬＰ、ハイビーム用配光パターンＨＰが確実に得られる。
【００８１】
この実施形態１にかかる車両用前照灯１は、光制御部材４が前記第１位置に位置するときには、光拡散部４５が基準光軸Ｚよりも下側に位置し、発光面２３からの光Ｌ３であって光拡散部４５で散らばって反射された反射光Ｌ４が、主レンズ部３０から散らばった出射光Ｌ５として基準光軸Ｚより上向きに照射される。このために、上向きのグレアとなる配光パターンＧＰの発生を確実に防ぐことができる。
【００８２】
この実施形態１にかかる車両用前照灯１は、光制御部材４が可変焦点レンズ部４０を備えるものであるから、良好なロービーム用配光パターンＬＰ、ハイビーム用配光パターンＨＰを得ることができる。しかも、この実施形態１にかかる車両用前照灯１は、可変焦点レンズ部４０の光拡散部４５が発光面２３からの光Ｌ３を主レンズ部３０側に反射させるように設計されている。このために、発光面２３からの光Ｌ３が光拡散部４５から可変焦点レンズ部４０中に入射するのを防ぐことができる。
【００８３】
この実施形態１にかかる車両用前照灯１は、光拡散部４５がプリズム素子の群からなり、プリズム素子の軸Ｚ１が発光面２３からの光Ｌ３の放射方向もしくはほぼ放射方向に位置する。このために、発光面２３からの光Ｌ３を光拡散部４５でさらに広く散らばらせることができる。これにより、グレアの発生をさらに確実に防止することができる。
【００８４】
（実施形態２の構成作用効果の説明）
図１０は、この発明にかかる車両用前照灯の実施形態２を示す。以下、この実施形態２にかかる車両用前照灯について説明する。図中、図１〜図９と同符号は、同一のものを示す。
【００８５】
前記の実施形態１の車両用前照灯１は、光制御部材として光制御部材４の可変焦点レンズ部４０を使用するものである。これに対して、この実施形態２にかかる車両用前照灯は、光制御部材として上下に配置されているシェード４７を使用するものである。
【００８６】
前記シェード４７の一部（上端部、下端部）が半導体型光源２とレンズ３との間の空間中に配置されている。前記空間は、発光面２３を含む面（Ｙ軸を含む基準光軸Ｚに対して垂直もしくはほぼ垂直な面）、および、前記レンズ３の前記主レンズ部３０の入射面３００、および、前記レンズ３の前記主レンズ部３０の縁を通り前記基準光軸Ｚと平行もしくはほぼ平行な筒面４６（図１０中の二点鎖線を参照）により囲まれた空間である。前記シェード４７の前記一部（上端部、下端部）のうち、前記基準光軸Ｚに向き合う面には、光拡散部４５が設けられている。
【００８７】
この実施形態２にかかる車両用前照灯は、以上のごとき構成作用からなるので、前記の実施形態１の車両用前照灯１の効果とほぼ同様の効果を達成することができる。特に、この実施形態２にかかる車両用前照灯は、シェード４７が基準光軸Ｚより上側に位置し、発光面２３からの光Ｌ３が上側のシェード４７の光拡散部４５で反射された反射光Ｌ４が主レンズ部３０から基準光軸Ｚより下向きに照射される。この下向きの出射光をも左右に広く散らばらせることができる。
【００８８】
（実施形態１、２以外の例の説明）
この実施形態１、２においては、車両が左側通行の場合の車両用前照灯１について説明するものである。ところが、この発明においては、車両が右側通行の場合の車両用前照灯にも適用することができる。
【００８９】
また、この実施形態１、２においては、レンズ３の主レンズ部３０と補助レンズ部３１とが一体である。ところが、この発明においては、レンズ３の主レンズ部３０と補助レンズ部３１とが別体のものであっても良い。
【００９０】
さらに、この実施形態１、２においては、光制御部材４を第１位置と第２位置との間を回転させるものである。ところが、この発明においては、光制御部材４を第１位置と第２位置との間をスライドさせるものであっても良い。この場合においては、回転軸の代わりに、スライド手段を設ける。
【００９１】
さらにまた、この実施形態１、２においては、駆動部材５としてソレノイド５０を使用するものである。ところが、この発明においては、駆動部材５としてソレノイド５０以外の部材、たとえば、モータなどを使用しても良い。この場合においては、モータと光制御部材４との間に駆動力伝達機構を設ける。
【００９２】
さらにまた、この実施形態１、２においては、レンズ３の補助レンズ部３１が全反射タイプのレンズ部である。ところが、この発明においては、レンズ３の補助レンズ部が全反射タイプのレンズ部以外のレンズ部、たとえば、屈折タイプのレンズ部やフレネルタイプのレンズ部であっても良い。
【００９３】
さらにまた、この実施形態１、２においては、第１配光パターンがロービーム用配光パターンＬＰであり、第２配光パターンがハイビーム用配光パターンＨＰである。ところが、この発明においては、第１配光パターンとして、ロービーム用配光パターンＬＰ以外の配光パターン、たとえば、ＡＦＳやＡＤＢなどにおいて、スクリーンの左右の水平線ＨＬ−ＨＲよりも下方に照射される配光パターンであっても良いし、また、第２配光パターンとして、ハイビーム用配光パターンＨＰ以外の配光パターン、たとえば、ＡＦＳやＡＤＢなどにおいて、スクリーンの左右の水平線ＨＬ−ＨＲよりも上方に照射される配光パターンであっても良い。
【００９４】
さらにまた、この実施形態１、２においては、光拡散部４５としてプリズム素子の群を使用するものである。ところが、この発明においては、光拡散部としてプリズム素子の群以外の光学素子たとえば微細な凹凸などを使用しても良い。
【００９５】
さらにまた、この実施形態１、２においては、プリズム素子の軸Ｚ１が発光面２３からの光Ｌ３の放射方向もしくはほぼ放射方向に位置するものである。ところが、この発明においては、プリズム素子の軸が基準光軸と平行もしくはほぼ平衡であっても良い。
【００９６】
さらにまた、この実施形態１、２においては、光制御部材として、光制御部材４の可変焦点レンズ部４０、シェード４７を使用するものである。ところが、この発明においては、光制御部材として、可変焦点レンズ部やシェード以外の部材、たとえば、遮光機能を有するインナーパネルなどを使用するものであっても良い。
【００９７】
さらにまた、この実施形態１、２においては、可変焦点レンズ部４０、シェード４７が基準光軸Ｚよりも下側、上側に位置し、発光面２３からの光Ｌ３が下側に位置する可変焦点レンズ部４０、下側上側に位置するシェード４７の光拡散部４５で反射された反射光Ｌ４が主レンズ部３０から基準光軸Ｚより下向き、上向きに照射されるものである。ところが、この発明においては、光制御部材を基準光軸に対して下側、上側以外に左側、右側に配しても良い。この場合、発光面からの光が左側、右側に位置する光制御部材の光拡散部で反射された反射光がレンズから基準光軸より右向き、左向きに照射される。
【００９８】
さらにまた、この実施形態１、２においては、駆動部材５により第１位置と第２位置とに移動切替可能に位置する光制御部材４を使用するものである。ところが、この発明においては、位置が固定した光制御部材を使用するものであっても良い。
【符号の説明】
【００９９】
１  車両用前照灯
２  半導体型光源
２０  発光チップ
２１  基板
２２  コネクタ
２３  発光面
３  レンズ
３０  主レンズ部
３００  主レンズ部の入射面
３０１  主レンズ部の出射面
３１  補助レンズ部
３１０  補助レンズ部の入射面
３１１  補助レンズ部の反射面
３１２  補助レンズ部の出射面
３２  取付部
４  光制御部材
４０  可変焦点レンズ部
４００  入射面
４０１  出射面
４１  取付部
４２  長孔
４３  回転孔
４４  ストッパ
４５  光拡散部
４５０  平面
４６  筒面
４７  シェード
５  駆動部材
５０  ソレノイド
５１  連結ピン
５２  スプリング
５３  取付部
５４  進退ロッド
６  レンズカバー部材
６０  開口部
６１  取付部
７  軸受部材
７０  開口部
７１  取付部
７２  軸部
７３  ストッパ
８  ベース部材
８０  光源取付部
８１  レンズ取付部
８２  ベース取付部
９  冷却部材
ＣＬ１  下水平カットオフライン
ＣＬ２  斜めカットオフライン
ＣＬ３  上水平カットオフライン
Ｆ  レンズの基準焦点
Ｆ１  疑似焦点
ＧＰ  グレアとなる配光パターン
ＨＬ−ＨＲ  スクリーンの左右の水平線
ＨＰ  ハイビーム用配光パターン
ＨＺ  ホットゾーン
Ｌ１  中央光
Ｌ２  周辺光の他の一部
Ｌ３  発光面からの光
Ｌ４  反射光
Ｌ５  出射光
Ｌ６  反射光
ＬＰ  ロービーム用配光パターン
Ｏ  発光面の中心
Ｏ１  回転中心
ＶＵ−ＶＤ  スクリーンの上下の垂直線
ＷＧＰ  グレアとならない配光パターン
Ｘ  Ｘ軸
Ｙ  Ｙ軸
Ｚ  レンズの基準光軸（Ｚ軸）
【図１】
2015018761.tif 000003
【図２】
2015018761.tif 000004
【図３】
2015018761.tif 000005
【図４】
2015018761.tif 000006
【図５】
2015018761.tif 000007
【図６】
2015018761.tif 000008
【図７】
2015018761.tif 000009
【図８】
2015018761.tif 000010
【図９】
2015018761.tif 000011
【図１０】
2015018761.tif 000012